(57)【特許請求の範囲】
【請求項１】
ベールクランプ装置のレール(７)の内側に装着され、ガイドバー(８)が左右方向に向って自在に移動することができ、その断面形状がチャンネル型の空間を有するスライドブッシュにおいて、このスライドブッシュを右のスライドブッシュ(１１)と左のスライドブッシュ(１２)とに２分割し、各々一方の端部にテーパ(Ｔ)を付けて幅寸法を広げ、装着するレール(７)の溝両端部に設けられたテーパ(Ｒ)に合わせて形成すると共に、他端に爪(１５)と受け溝(１６)の組合せを用いてブッシュ(１１)と(１２)とを一体とする結合部を設けてなることを特徴とするベールクランプ装置のレール(７)の内側に装着するスライドブッシュ。
【請求項２】
ベールクランプ装置のレール(７)の内側に装着され、ガイドバー(８)が左右方向に向って自在に移動することができ、その断面形状がチャンネル型の空間を有するスライドブッシュにおいて、このスライドブッシュを左のスライドブッシュ(１３)と右のスライドブッシュ(１４)とに２分割し、各々一方の端部にテーパ(Ｔ)を付けて幅寸法を広げ、装着するレール(７)の溝両端部に設けられたテーパ(Ｒ)に合わせて形成すると共に、他端はその左右のスライドブッシュの突き合わせ面から中央部において適宜の長さだけ左右方向にそれぞれ外側に向った位置までの間にテーパＫを有する穴を形成し、この穴に合致させてその左右の端部にテーパＫを有する１本の結合プレート(３)を嵌めることにより、ブッシュ(１３)と(１４)とを一体とする結合部を設けてなることを特徴とするベールクランプ装置のレールの内側に装着するスライドブッシュ。
【請求項３】
ベールクランプ装置のレール(７)の内側に装着され、ガイドバー(８)が左右方向に向って自在に移動することができ、その断面形状がチャンネル型の空間を有するスライドブッシュにおいて、このスライドブッシュを上下にブッシュ(４)と(５)とに２分割し、各々両端部に傾斜(Ｇ)を付けて幅寸法を広げ、装着するレール(７)の溝両端部に設けられたテーパ(Ｒ)に合わせて形成すると共に、２個組み合わせた状態で上下寸法を、レール(７)の溝の上下寸法と一致させたことを特徴とするベールクランプ装置のレールの内側に装着するスライドブッシュ。
【発明の詳細な説明】
【０００１】
【発明の属する技術分野】
フオークリフトアタッチメントのべールクランプ装置のレールの内側に装着するスライドブッシュに関するものである。
【０００２】
【従来の技術】
ベールクランプ装置の一般的構造を図１２、および図１３を用いて説明する。
ベールクランプ装置(符番なし、部材名称あり)は、荷物を左右一対のクランプアームで把持し、フォークリフトのマストに沿って上下動ができる昇降部材を備えている。フォークリフトのマストに沿って上下動することができるクランプベース(符番なし、部材名称あり)の前面の上下部にはそれぞれ断面溝形のレール７が２本ずつ水平に配置、固着されていて、これらのレール７の内側には左右一対のクランプアーム(符番なし)のガイドバー８が左右に移動できるように配置されている。図１３に示すように、ベールクランプ装置のガイドバー８はクランプシリンダ(符番なし)によって左右方向に移動可能になっている。レール７内側にはスライドブッシュが装着されている。また、このガイドバー８には、より移動し易いようにするためガイドバー８にローラが着いているものもある。このようにレールの内側にスライドブッシュを取り付けているベールクランプ装置は当業者において周知である。
ところで、レールの内側にスライドブッシュを取り付ける方法には、従来、２つの方法がある。１つは、レール７の壁に穴を明けておいてこの穴にスライドブッシュの突起部分を嵌めてスライドブッシュを取り付ける方法、もう１つはレールの両サイドにスライドブッシュの移動を止めるストッパを付ける構造などがある。
【０００３】
【発明が解決しようとする課題】
上述の従来の前者の構造では、スライドブッシュの突起とレールの穴との嵌め合いには隙間があるため、クランプ装置のガイドバーがスライドした時にスライドブッシュの突起が破損し易い。また後者の両サイドを受けるストッパの場合には、掛かりが浅くスライドブッシュが抜け出すなどの不具合があった。この出願の発明はこのような不具合をなくすことを課題としたものである。
【０００４】
【課題を解決するための手段及び作用効果】
この発明は上記の課題に対処するためになされたもので、請求項１記載の発明は、ベールクランプ装置のレールの内側に装着され、ガイドバーが左右方向に向って自在に移動することができ、その断面形状がチャンネル型の空間を有するスライドブッシュにおいて、このスライドブッシュを右のスライドブッシュと左のスライドブッシュとに２分割し、各々一方の端部にテーパＴを付けて幅寸法を広げ、装着するレールの溝両端部に設けられたテーパＲに合わせて形成すると共に、他端に爪と受け溝の組合せを用いて左右のブッシュを一体とする結合部を設けてなることを特徴とするベールクランプ装置のレールの内側に装着するスライドブッシュとしている。
【０００５】
請求項２記載の発明は、ベールクランプ装置のレールの内側に装着され、ガイドバーが左右方向に向って自在に移動することができ、その断面形状がチャンネル型の空間を有するスライドブッシュにおいて、このスライドブッシュを左のスライドブッシュと右のスライドブッシュとに２分割し、各々一方の端部にテーパＴを付けて幅寸法を広げ、装着するレールの溝両端部に設けられたテーパＲに合わせて形成すると共に、他端はその突き合わせ面から中央部において適宜の長さだけ左右方向にそれぞれ外側に向った位置までの間にテーパＫを有する穴を形成し、この穴に合致させてその左右の端部にテーパＫを有する１本の結合プレートを嵌めることにより、左右のブッシュを一体とする結合部を設けてなることを特徴とするベールクランプ装置のレールの内側に装着するスライドブッシュとしている。
【０００６】
請求項１或は請求項２の構成とすることにより、スライドブッシュをレールの溝へ両側から入れると、テーパ部の面で当って内側へは入り込まなくなり、このテーパ部と反対の先端部には、各々に爪と受け溝による結合部を付けたり、テーパ面などの嵌め込みによる結合プレートを用いて結合し、２分割されたスライドブッシュが一体となってレール溝に固定されるので、ガイドバーのスライド時に生じるスラスト力を受けることができる。
上述の構成には、部品点数や加工工数の増加もあるが、脱着する時の作業工数が少なくなり、作業が容易に実施できるようになる。
【０００７】
請求項３記載の発明は、ベールクランプ装置のレールの内側に装着され、ガイドバーが左右方向に向って自在に移動することができ、その断面形状がチャンネル型の空間を有するスライドブッシュにおいて、このスライドブッシュを上下に２分割し、各々両端部に傾斜Ｇを付けて幅寸法を広げ、装着するレールの溝両端部に設けられたテーパＲに合わせて形成すると共に、２個組み合わせた状態で上下寸法を、レールの溝の上下寸法と一致させたことを特徴とするベールクランプ装置のレールの内側に装着するスライドブッシュとしている。
【０００８】
上述の構成により、スライドブッシュのレールへの組立にこつを要するが、ガイドバーがスライドしても、スライドブッシュのテーパ面が利いており、ずれが発生することがないので破損しにくい。
【０００９】
以上のこの発明の各々の構成において、何れの場合もスライドブッシュが装着されるクランプベースのレールは、加工箇所が両端のテーパ形状のみと少なく、従来の１本型のスライドブッシュに比べて、確実な脱着が容易となると共に、スライドブッシュがガイドバーのスラスト力を受けてもずれることなく、安定した案内機能を発揮できる。
【００１０】
【発明の実施の形態】
以下この発明の実施例について、図面により説明する。
図１、図２、図３、図４、図５、図６は、この出願の発明の第１実施例に係るベールクランプ装置のレールの内側に装着するスライドブッシュに関する図面である。
図１はこの出願の発明の第１実施例に係るベールクランプ装置のレールの内側に装着するスライドブッシュに関する図面であり、そのうちの左右２分割型スライドブッシュの(爪)側を表す正面図である。
図２はこの出願の発明の第１実施例に係るベールクランプ装置のレールの内側に装着するスライドブッシュに関する図面であり、そのうちの左右２分割型スライドブッシュの(爪)側を表す側面図である。
図３はこの出願の発明の第１実施例に係るベールクランプ装置のレールの内側に装着するスライドブッシュに関する図面であり、そのうちの左右２分割型スライドブッシュの爪の側面図である。
図４はこの出願の発明の第１実施例に係るベールクランプ装置のレールの内側に装着するスライドブッシュに関する図面であり、そのうちの左右２分割型スライドブッシュの(受け溝)側を表す正面図である。
図５はこの出願の発明の第１実施例に係るベールクランプ装置のレールの内側に装着するスライドブッシュに関する図面であり、そのうちの左右２分割型スライドブッシュの(受け溝)側を表す側面図である。
図６はこの出願の発明の第１実施例に係るベールクランプ装置のレールの内側に装着するスライドブッシュに関する図面であり、左右２分割型スライドブッシュの(爪)と左右２分割型スライドブッシュの(受け溝)とが結合した状態を示す断面図である。
【００１１】
図２に側面形状で示すように、その断面がチャンネル型をした長尺形状のスライドブッシュ１１は、図１に示すように、一端はテーパＴが加工されていて、このテーパＴに加工された面が、クランプベースのレール７に右側から挿入された時、レール７の両端部に加工されたテーパＲに当たって止まるようになっている。
【００１２】
図３の側面図で示しているように、スライドブッシュ１１のもう一方の端部には、結合部としての爪１５が一体に設けられている。
【００１３】
図４は上述のスライドブッシュ１１と一対をなすスライドブッシュ１２を示し、図５に示す側面形状は図２に示す側面形状と全く同じになっている。すなわち、断面形状がチャンネル型をした長尺形状のスライドブッシュ１２となっている。スライドブッシュ１１とスライドブッシュ１２の違いは、結合部として加工された一端に、受け溝１６が加工されていて、クランプベースのレール７に左側から挿入され、レール７の両端部に加工されたテーパＲに当たって止まると同時に、スライドブッシュ１１の爪１５が、受け溝１６に嵌まって、一体に結合可能となっていて、図６にその結合した状態の一例を側面図で示している。
【００１４】
図７、図８、図９、図１０はこの出願の発明の第２実施例に係るベールクランプ装置のレールの内側に装着するスライドブッシュに関する図面である。
図７はこの出願の発明の第２実施例に係るベールクランプ装置のレールの内側に装着するスライドブッシュに関する図面であり、３分割型スライドブッシュの正面図である。
図８はこの出願の発明の第２実施例に係るベールクランプ装置のレールの内側に装着するスライドブッシュに関する図面であり、３分割型スライドブッシュのうちのスライドブッシュ(左)の正面図である。
図９はこの出願の発明の第２実施例に係るベールクランプ装置のレールの内側に装着するスライドブッシュに関する図面であり、３分割型スライドブッシュのうちのスライドブッシュ(右)の正面図である。
図１０はこの出願の発明の第２実施例に係るベールクランプ装置のレールの内側に装着するスライドブッシュに関する図面であり、左右のスライドブッシュを一体にする結合プレートの正面図である。
【００１５】
図７は、この出願の発明の第１実施例に係わるものと同様に左右にスライドブッシュを２分割型する点では同じであるが、左右のスライドブッシュを結合する方法が相違している。左右のスライドブッシュを結合させるために、結合プレートの部材がもう1つ必要であるので、この出願の発明の第２実施例に係るスライドブッシュは３分割型のスライドブッシュということになる。
【００１６】
図 8は第２実施例の左のスライドブッシュ１３を示している。すなわち、図 8 は左右にスライドブッシュを２分割型したうちの左のスライドブッシュ１３を示しており、その左の外側面にテーパＴが形成されていて幅寸法がここで広げられている。左のスライドブッシュ１３の左の外側面にあるこのテーパＴはこの部分を丁度装着することになるレール７の溝の両端部に設けられているテーパＲと合致するように形成されている。また、左のスライドブッシュ１３の右の端部には、右のスライドブッシュ１４の左の端部と接合する面があるが、この面から適宜の長さだけ外側の左側にテーパＫを有する穴を形成する。このテーパＫを有する穴は左のスライドブッシュ１３の右の端部の面の中央部分から適宜の長さだけ外側の左側に伸び、そして、最も外側の左側の位置にテーパＫとなる穴を形成する。テーパＫはこの部分で幅寸法が広げられ、穴が形成されている。
【００１７】
図９は第２実施例の右のスライドブッシュ１４とを示している。
図９に示す右のスライドブッシュ１４の形状は図８に示す左のスライドブッシュ１３と対称的に形成されているので詳細説明は省略する。
図１０は左右のスライドブッシュ１３，１４を一体にする結合プレートに関する図面である。第２実施例における左のスライドブッシュ１３と、右のスライドブッシュ１４とをレール７の内側に装着させながら、左のスライドブッシュ１３の右側の端部の面と、右のスライドブッシュ１４の左側の端部の面とを接合させる。すると、その時、左右のスライドブッシュ１３，１４の接合により、それらのスライドブッシュの中央部の左右方向にその左右端側にテーパＫを有する比較的長い穴が形成される。この左右端側にテーパＫを有する比較的長い穴に合致する形状の結合プレート３をこの穴に嵌め込み左のスライドブッシュ１３と右のスライドブッシュ１４とを一体化する。図７は左右のスライドブッシュ１３と１４が一体化したスライドブッシュの正面図に示している。
なお、 図７〜図１０に示す第２実施例のスライドブッシュも図２で示す第１実施例のスライドブッシュのように、側面の断面形状はチャンネル型をした長尺形状のスライドブッシュは図１に示すものと同様にスライドブッシュの一端にはテーパＴが形成されていてこのテーパＴに加工された面がレール７の両端部に形成されているテーパＲに当たってスライドブッツシュは静止するようになっている。
【００１８】
図１１はこの出願の発明の第３実施例に係るものであり、上下分割型スライドブッシュの正面図を示す。
下分割したスライドブッシュ４と５を、クランプベースのレール７の前側開口部分から挿入した後、上下の分割面を合わせて一体として組み込むようにすると、ガイドバー８(図１３に図示)の動きに伴うスラスト力は、上下の傾斜Ｇ がレール７の両端部のテーパ R を把握するために、特に上下のスライドブッシュ４と５の間に結合部といったものを設けなくても、ガイドバー８の動きによってずれることがない。
なお、 図１１に示す第３実施例のスライドブッシュも図２で示す第１実施例のスライドブッシュのように、側面の断面形状はチャンネル型をした長尺形状のスライドブッシュの図１に示すものと同様にスライドブッシュの一端には上下の傾斜Ｇが形成されていてこの上下の傾斜Ｇに加工された面がレール７の両端部に形成されているテーパＲに当たってスライドブッツシュは静止するようになっている。
【００１９】
以上のように、スライドブッシュが確実な固定で装着され、クランプベースのレールは、加工箇所が両端のテーパ形状のみと少なく、従来の１本型のスライドブッシュに比べて、脱着が容易となると共に、ガイドバーの滑動に伴い発生するスラスト力を受けてもスライドブッシュがずれることがなく、安定した動きの確保ができ、組立容易などの効果が大きい。
【図面の簡単な説明】
【図１】  この出願の発明の第１実施例に係るベールクランプ装置のレールの内側に装着するスライドブッシュに関する図面であり、そのうちの左右２分割型スライドブッシュの(爪)側を示す正面図である。
【図２】  この出願の発明の第１実施例に係るベールクランプ装置のレールの内側に装着するスライドブッシュに関する図面であり、そのうちの左右２分割型スライドブッシュの(爪)側を示す側面図である。
【図３】  この出願の発明の第１実施例に係るベールクランプ装置のレールの内側に装着するスライドブッシュに関する図面であり、そのうちの左右２分割型スライドブッシュの爪の側面図である。
【図４】  この出願の発明の第１実施例に係るベールクランプ装置のレールの内側に装着するスライドブッシュに関する図面であり、そのうちの左右２分割型スライドブッシュの(受け溝)側を示す正面図である。
【図５】   この出願の発明の第１実施例に係るベールクランプ装置のレールの内側に装着するスライドブッシュに関する図面であり、そのうちの左右２分割型スライドブッシュの(受け溝)側を示す側面図である。
【図６】  この出願の発明の第１実施例に係るベールクランプ装置のレールの内側に装着するスライドブッシュに関する図面であり、左右２分割型スライドブッシュの(爪)と左右２分割型スライドブッシュの(受け溝)とが結合した状態を示す断面図である。
【図７】  この出願の発明の第２実施例に係るベールクランプ装置のレールの内側に装着するスライドブッシュに関する図面であり、３分割型スライドブッシュの正面図である。
【図８】  この出願の発明の第２実施例に係るベールクランプ装置のレールの内側に装着するスライドブッシュに関する図面であり、３分割型スライドブッシュのうちのスライドブッシュ(左)の正面図である。
【図９】  この出願の発明の第２実施例に係るベールクランプ装置のレールの内側に装着するスライドブッシュに関する図面であり、３分割型スライドブッシュのうちのスライドブッシュ(右)の正面図である。
【図１０】  この出願の発明の第２実施例に係るベールクランプ装置のレールの内側に装着するスライドブッシュに関する図面であり、左右のスライドブッシュを一体にする結合プレートの正面図である。
【図１１】  この出願の発明の第３実施例に係るものであり、上下分割型スライドブッシュの正面図を示す。
【図１２】  ベールクランプ装置を装着したフオークリフトの全体側面図である。
【図１３】  ベールクランプ装置の一例を示す分解斜視図である。
【符号の説明】
３      結合ブレート
4       ブッシュ（上）
5       ブッシュ（下）
７      レール
１１    ブッシュ（爪）
１２    ブッシュ（受け溝）
１３    ブッシュ(左)
１４    ブッシュ（右）
１５    爪
１６    受け溝
Ｇ      傾斜(上下)
Ｋ      テーパ（結合）
Ｒ      テーパ（レール）
Ｔ      テーパ（ブッシュ）
【図１】
0004104284.tif 000002
【図２】
0004104284.tif 000003
【図３】
0004104284.tif 000004
【図４】
0004104284.tif 000005
【図５】
0004104284.tif 000006
【図６】
0004104284.tif 000007
【図７】
0004104284.tif 000008
【図８】
0004104284.tif 000009
【図９】
0004104284.tif 000010
【図１０】
0004104284.tif 000011
【図１１】
0004104284.tif 000012
【図１２】
0004104284.tif 000013
【図１３】
0004104284.tif 000014